(57)【特許請求の範囲】
【請求項１】
容器載置用台座２の後部から、支持杆ないし支持管６を起立する支持部材１と、
上記支持杆ないし支持管の外面ないし内面へ上下動可能に嵌合させた摺動管ないし摺動杆12の上部から、アーム13を前方突出する摺動部材11と、
上記台座２上方のアーム部分へ装着させた縦形ポンプ21とからなり、
縦形ポンプ21が有するシリンダ23および該シリンダ内から上方付勢されて起立するノズル付きの作動部材26をほぼ垂直に設け、
上記アーム13の前部に縦孔を穿設して、該縦孔を囲むアーム部分下面から摺動部材１１の押下げで容器口頸部外面へ着脱自在に嵌合可能な嵌合用筒15、１７ｂを垂下すると共に、上記シリンダ23を縦孔内を通り垂下させて、アーム13前部へ上記縦形ポンプ21を装着させたことを特徴とする縦形ポンプ支持装置。
【請求項２】
上記挿通縦孔の周辺上面へ、縦形ポンプがシリンダ上端部に有する外向きフランジ状大外径部下面を係合させて、アーム13前部へ縦形ポンプ21を装着させたことを特徴とする請求項１記載の縦形ポンプ支持装置。
【請求項３】
アーム13前部に設けた上記縦孔へ保持筒17を上下貫通状態に付設させて該保持筒下部を容器嵌合用筒17ｂに、かつ保持筒上部をポンプ装着用筒17ａ に、それぞれ形成しておき、又縦形ポンプ21は、シリンダ上部に付設した外向きフランジ22をポンプ装着用筒17ａ の上端面へ載置させてシリンダを保持筒内へ垂下させると共に、上記外向きフランジ22上面へ内向きフランジ31を係合させて垂設した装着筒32を、ポンプ装着用筒17ａ外面へ着脱自在に嵌合させて、上記ポンプ装着用筒17ａ と内向きフランジ31とでシリンダ23の外向きフランジ22を挟持させることで、アーム前部へ縦形ポンプを装着させたことを特徴とする、請求項１記載の縦形ポンプ支持装置。
【請求項４】
容器嵌合用筒17ｂの下部内面に第１係合突条17c を周設すると共に、該容器嵌合用筒17ｂ に、下端面開口の複数割溝17d を縦設して、各割溝間の棒状部分17e を弾性変形可能に形成したことを特徴とする、請求項３記載の縦形ポンプ支持装置。
【発明の詳細な説明】
【０００１】
【発明の属する技術分野】
本発明は、縦形ポンプ支持装置に関する。
【０００２】
【従来の技術】
例えば特開平2000-203615 号が示すように、容器載置台後部から起立させた支持杆上端から前方へアームを起伏自在に突出させ、かつ該アームの先端へ、容器口頸部への嵌合用キャップ付きの縦形ポンプを装着させて、
該ポンプのシリンダを容器内へ入れ、かつキャップを容器口頸部へ嵌合させて上記載置台上へ容器を載置させた状態からシリンダ上方へ起立する作動部材上端の押下げヘッドを押下げることで容器内液体を押下げヘッドが有するノズルから噴出できるよう設けた、縦形ポンプ支持装置が知られている。
【０００３】
【発明が解決しようとする課題】
上記装置は、押下げヘッド押下げ力をアームおよび支持杆を介して容器載置台で支持させるから容器は軟材質でよく、よって容器を薄肉化できるが、上記キャップへの容器の着脱は、アームおよび容器を傾ける等しなければならないので面倒があると共に、容器を傾けた際に容器内液体がこぼれることがあった。
【０００４】
本発明は上記欠点を除去すると共に容器と上記縦形ポンプとの連結および分離を容易にすることが可能に設けたものである。
【０００５】
【課題を解決するための手段】
第１の手段として、容器載置用台座２の後部から、支持杆ないし支持管６を起立する支持部材１と、
上記支持杆ないし支持管の外面ないし内面へ上下動可能に嵌合させた摺動管ないし摺動杆12の上部から、アーム13を前方突出する摺動部材11と、
上記台座２上方のアーム部分へ装着させた縦形ポンプ21とからなり、
縦形ポンプ21が有するシリンダ23および該シリンダ内から上方付勢されて起立するノズル付きの作動部材26をほぼ垂直に設け、
上記アーム13の前部に縦孔を穿設して、該縦孔を囲むアーム部分下面から摺動部材１１の押下げで容器口頸部外面へ着脱自在に嵌合可能な嵌合用筒15、１７ｂを垂下すると共に、上記シリンダ23を縦孔内を通り垂下させて、アーム13前部へ上記縦形ポンプ21を装着させたことを特徴とする。
【０００６】
第２の手段として、上記挿通縦孔の周辺上面へ、縦形ポンプがシリンダ上端部に有する外向きフランジ状大外径部下面を係合させて、アーム13前部へ縦形ポンプ21を装着させたことを特徴とする。
【０００７】
第３の手段として、アーム13前部に設けた上記縦孔へ保持筒17を上下貫通状態に付設させて該保持筒下部を容器嵌合用筒17ｂに、かつ保持筒上部をポンプ装着用筒17ａ に、それぞれ形成しておき、又縦形ポンプ21は、シリンダ上部に付設した外向きフランジ22をポンプ装着用筒17ａ の上端面へ載置させてシリンダを保持筒内へ垂下させると共に、上記外向きフランジ22上面へ内向きフランジ31を係合させて垂設した装着筒32を、ポンプ装着用筒17ａ外面へ着脱自在に嵌合させて、上記ポンプ装着用筒17ａ と内向きフランジ31とでシリンダ23の外向きフランジ22を挟持させることで、アーム前部へ縦形ポンプを装着させたことを特徴とする。
【０００８】
第４の手段として、容器嵌合用筒17ｂの下部内面に第１係合突条17c を周設すると共に、該容器嵌合用筒17ｂ に、下端面開口の複数割溝17d を縦設して、各割溝間の棒状部分17e を弾性変形可能に形成したことを特徴とする。
【０００９】
【発明の実施の形態】
以下図１と図２とが示す第１実施形態について説明すると、１は支持部材で、該部材は容器載置用台座２を有する。該台座は底壁３外周から周壁４を起立すると共に該周壁上端から下外方へ支持壁５を突出し、該支持壁下端面を底壁下面と同一平面ないし下方まで垂下させて接地面としている。又その台座２の後部からは横断面四角形状の支持管６を起立している。該支持管は支持杆に代えてもよい。
【００１０】
11は上記支持管内へ上下動可能にかつ回動不能に嵌合させた摺動杆12の上端からアーム13を前方突出する摺動部材である。摺動杆は横断面四角形状ないしコ字形状として、上記支持管に対して回動不能とすることが望ましい。上記支持管を支持杆とした場合は摺動杆を摺動管に代える。
【００１１】
アーム13の前部には、図２が示すようにシリンダ挿通縦孔14を穿設し、又該孔を囲むアーム部分下面から容器口頸部嵌合用筒15を垂下させている。又挿通縦孔周縁からは雄ねじ筒16を起立している。アームは縦断面コ字形状に頂板の左右側縁から側板を垂下させて形成するとよく、これ等両側板前端間を連結する板部を上記嵌合筒の前部と、又該嵌合筒の左右両部と両側板部分とを、それぞれ兼用させている。
【００１２】
21は公知の縦形ポンプで、該ポンプは上部に外向きフランジ22を付設したシリンダ23を有し、該シリンダ内から上方付勢させて上端にノズル24付きの押下げヘッド25を有する作動部材26を起立し、該作動部材の上下動によるシリンダ内の負圧化でシリンダ下端から垂下する吸上げパイプ27を介して容器体内液体をシリンダ内へ吸上げ、かつ該シリンダ内高圧化で該シリンダ内液体を作動部材のステム28内を通って上記ノズルから噴出するよう設けている。吸上げパイプ27下端は斜めに切断してその下端を尖鋭としている。
【００１３】
図２において縦形ポンプ21は外向きフランジ22上方のシリンダ上端部外面へ、ステム28を挿通させた、シリンダ上面閉塞蓋29から垂下する周壁30を抜出し不能に嵌合させると共に、外向きフランジ22上面へ係合させた内向きフランジ31から垂下する装着筒32を、既述アームの雄ねじ筒16に螺合させ、又上記内向きフランジ31の内周部を外向きフランジ22と上記周壁30下端面とで挟持させている。
【００１４】
尚上記アーム13に対する縦形ポンプ21の装着は、図示例のほか種々の方法が考えられ、例えば雄ねじ筒16および装着筒32を設けずにシリンダの外向きフランジ22を直接アーム上面へ載置させ、かつ上記外向きフランジを、アーム上面から起立させた短筒内へ嵌合させることも考えられる。又雄ねじ筒を設けずに、装着筒32下端面をシリンダ挿通縦孔14の外周部上面へ載置させるだけでもよい。
【００１５】
上記構成において、縦形ポンプを使用する際は、図１が二点鎖線で示すように縦形ポンプを付設した状態で摺動部材11を引上げ、容器載置用台座２内へ底部を嵌合させて液体を収納させた容器41をセットする。該状態から摺動部材11を下降させて容器上端から起立する口頸部42の上部外面へ既述アームの口頸部嵌合用筒15を嵌合させ、該状態で作動部材の押下げヘッド25を付勢に抗して押下げ、又該押下げを解放する。該操作で作動部材は上下動して容器体内液体をシリンダ内へ吸込み、かつ該シリンダ内液体をノズル24から噴出する。
【００１６】
容器内液体が無くなれば再び縦形ポンプを付設したまま摺動部材11を引き上げ、容器41を交換し、再度摺動部材を押下げ、容器に縦形ポンプを装着させて使用する。
【００１７】
図３は第２実施形態を示す。該実施形態の場合も支持部材と摺動部材と縦形ポンプとからなり、支持部材は第１実施形態の場合と同じである。
【００１８】
摺動部材11は、図３が示すようにアーム13の前部に保持筒17を上下貫通状態に付設させており、その保持筒下部を容器嵌合用筒17ｂ に、かつ保持筒上部をポンプ装着用筒17ａに、それぞれ形成している。図示例では容器嵌合用筒17ｂ を、図４が示すように、筒下部内面に第１係合突条17c を周設すると共に、該筒部分に下端面を開口させて複数の割溝17d を縦設して、各割溝間筒部分を棒状となし、かつその各棒状部分17e を弾性変形可能に形成している。又ポンプ装着用筒17ａは雄ねじ筒としている。
【００１９】
縦形ポンプ21は、図１の場合と同様に形成している。
【００２０】
尚容器41は口頸部42の下部外面に第２係合突条43を周設しており、又口頸部上端面を破断可能なシール材44で密閉している。
【００２１】
該実施形態の場合は容器セットの際、予め引上げておいた摺動部材11を押下げると、まず吸上げパイプ下端が上記シール材44を突刺して容器内へ下降し、続いて容器嵌合用筒17ｂ が容器口頸部42の外面へ嵌合して第１係合突条17c が第２係合突条43上面へ接し、すると各棒状部分17e が弾性変形することで第２係合突条43を乗越えて該第２係合突条下面へ第１係合突条17c が係合する。該係合によって容器のセットは完了するから、押下げヘッド25を介し作動部材を上下動させることで容器内液体を注出できる。
【００２２】
【発明の効果】
本発明は、既述構成とするものであり、請求項１記載のようにすることで、予め縦形ポンプ付きの摺動部材11を引上げた状態から台座２上へ容器41をおき、そのまま上記摺動部材を押下げるだけで容器に縦形ポンプ21を装着して作動部材26の上下動により液体を注出できる便利がある。又容器交換の際も上記摺動部材11を介して縦形ポンプ21を引上げて行えばよいから、その交換も容易である。尚既述従来例の場合は、容器のセットおよび交換の際に、容器を傾けて支持台上部に装着されたキャップを容器の開口部に嵌合すると、容器を傾けた際容器内液体をこぼすおそれがあったが、本発明では容器を垂直状態に保ったままで容器のセットを行えるからそのおそれもない。
【００２３】
請求項２および３のようにすることで、アーム13に対する縦形ポンプの装着を容易に行うことが出来る。
【００２４】
請求項４のようにすることで、容器口頸部外面に対する、容器嵌合用筒17a の着脱を容易かつ確実とすることが出来る。
【図面の簡単な説明】
【図１】    本発明装置を、容器セット状態で示す側面図である。
【図２】    図１要部の拡大断面図である。
【図３】    図１要部を、別実施形態で示す、拡大断面図である。
【図４】    図３要部の拡大斜視図である。
【符号の説明】
１…支持部材            11…摺動部材
21…縦形ポンプ          41…容器
【図１】
0003866031.tif 000002
【図２】
0003866031.tif 000003
【図３】
0003866031.tif 000004
【図４】
0003866031.tif 000005